(57)【要約】【課題】テープ印字装置本体に対して着脱可能なカバー部材をテープ印字装置本体から取り外している際にのみ機能するカッタレバーのロック機構を、テープ印字装置本体の両側に離間させてカッタレバーとプラテンホルダとを配設した場合においても、簡単な構成により実現可能なテープ印字装置を提供する。【解決手段】裏カバー１１が装置本体２に装着されていない状態で、バネ部材２２はストッパ部材１５を回転付勢し、ストッパ部材１５の係止部１５Ａがカッタレバー５の段差部１９に係止されてカッタレバー５を操作不能にし、裏カバー１１が装置本体２に装着された状態で、裏カバー１１の係合リブ１４がストッパ部材１５の係合部１５Ｂに係合してストッパ部材５をバネ部材２２の回転付勢力に抗して回転し、ストッパ部材１５の係止部１５Ａはカッタレバー５の段差部１９からリリースしてカッタレバー５を操作可能に構成する。【選択図】図１４
2009202546.tif 000002
【特許請求の範囲】
【請求項１】
テープ印字装置本体と、
前記テープ印字装置本体に設けられ、テープカセットが装着されるカセット装着部と、
前記テープカセットから引き出されたテープに文字等の印字を行う印字ヘッドと、
前記印字ヘッドを介して文字等の印字が行われたテープをテープ印字装置本体の外部に排出する排出部と、
前記排出部の近傍でテープ印字装置本体内に配設され、固定刃と可動刃とからハサミ状に構成されたカッタと、
前記テープ印字装置本体に回動可能に設けられ、前記カッタの可動刃を駆動するカッタレバーと、
前記カッタレバーと可動刃との間に配設され、カッタレバーの回動を前記可動刃に伝達する駆動機構と、
前記テープ印字装置本体に対して開閉可能に設けられたカバー部材とを備えたテープ印字装置において、
前記カバー部材の裏面に形成された被係合部と、
前記テープ印字装置本体にて、前記テープカセットの壁面と平行に且つ回転可能に設けられ、前記カッタレバーの段差部に係止される係止部、前記カバー部材の被係合部と係合する係合部及びバネ支持部が形成された板状のストッパ部材と、
前記バネ支持部に支持され、前記ストッパ部材を回転付勢するバネ部材とを備え、
前記カバー部材がテープ印字装置本体に閉じられていない状態で、前記バネ部材はストッパ部材を回転付勢し、ストッパ部材の係止部がカッタレバーの段差部に係止されてカッタレバーを操作不能にし、
前記カバー部材がテープ印字装置本体に閉じられた状態で、カバー部材の被係合部とストッパ部材の係合部とが係合してストッパ部材を前記バネ部材の回転付勢力に抗して回転し、ストッパ部材の係止部はカッタレバーの段差部からリリースしてカッタレバーを操作可能にしたことを特徴とするテープ印字装置。
【発明の詳細な説明】
【技術分野】
【０００１】
本発明は、カッタレバーを有する手動カッタを備えたテープ印字装置に関し、特に、テープ印字装置本体及びテープ印字装置本体に対して着脱可能なカバー部材を有し、カバー部材をテープ印字装置本体から取り外している際にはカッタレバーを操作不能とするとともに、カバー部材をテープ印字装置に装着した際にはカッタレバーを操作可能としたテープ印字装置に関するものである。
【背景技術】
【０００２】
従来より、カッタレバーを手動で操作することによりハサミ状のカッタを作動させて、印字ヘッドにより文字等が印字されたテープを切断するように構成された各種のテープ印字装置が提案されている。
【０００３】
例えば、特開平１０−１００４９４号公報には、テープ印字装置の一側にて、プラテンローラを保持するプラテンホルダを回動可能に支持するとともに、プラテンホルダに隣接してカッタレバーを回動可能に支持し、印字時には、プラテンホルダをサーマルヘッド方向に回動させてテープカセットから引き出されたテープを介してプラテンローラをサーマルヘッドに当接させつつ文字等をテープに印字するように構成されたテープ印字装置が記載されている。
かかるテープ印字装置では、前記のように文字等の印字が行われたテープを切断する際、切断刃を有する保持部材に向かってカッタレバーを回動させて押圧片により保持部材を押圧し、テープは切断刃により切断される。また、非印字時には、プラテンホルダがサーマルヘッドから離間する方向に回動されることに基づき、プラテンホルダのストッパ部をカッタレバーの端部に当接させることにより、カッタレバーを操作不能状態にしている。
【０００４】
また、特開２００５−８８２３９号公報には、前記と同様の構成を有するテープ作成装置が記載されており、このテープ作成装置では、本体の一側にカッタレバーを回動可能に配設し、本体の他側にプラテンを回動可能に支持するプラテンホルダを回動可能に配設している。
【０００５】
【特許文献１】特開平１０−１００４９４号公報（段落０００２〜００７０、図１〜図１１）
【特許文献２】特開２００５−８８２３９号公報（段落００１４〜００１８、図１〜図４）
【発明の開示】
【発明が解決しようとする課題】
【０００６】
前記特許文献１に記載されたテープ印字装置では、テープへの非印字時に、プラテンホルダのストッパ部をカッタレバーの端部に当接させることにより、カッタレバーを操作不能状態にロックしているが、プラテンホルダ及びカッタレバーは、テープ印字装置における同一側に配設されており、かかる場合、必然的にテープ印字装置の片側が大きく突出してしまうこととなり、両側のバランスが崩れてしまう。また、テープ印字装置の片側が突出すると、ハンディタイプのテープ印字装置であるにも拘わらず片手で掴んで支持することが困難となる。
【０００７】
これに対して、前記特許文献２に記載されたテープ作成装置の場合、本体の一側にカッタレバーを回動可能に配設し、本体の他側にプラテンを回動可能に支持するプラテンホルダを回動可能に配設していることから、テープ作成装置の片側が突出してしまうことはなく、テープ作成装置の両側でバランスのとれた形状にすることが可能である。
しかしながら、特許文献２に記載されたテープ作成装置におけるように、カッタレバーとプラテンホルダとをテープ作成装置の両側に離間させて配置すると、非印字時にカッタレバーを操作不能状態とするロック機構をカッタレバーとプラテンホルダとの間に配設することは極めて困難である。かかる事情下で、特許文献２のテープ作成装置には、カッタレバーを操作不能状態にするためのロック機構は設けられていないのが現状である。
【０００８】
本発明は、前記従来における問題点を解消するためになされたものであり、テープ印字装置本体に対して着脱可能なカバー部材をテープ印字装置本体から取り外している際にはカッタレバーを操作不能とするとともに、カバー部材をテープ印字装置に装着した際にはカッタレバーを操作可能とし、テープ印字装置本体の両側に離間させてカッタレバーとプラテンホルダとを配設した場合においても、簡単な構成によりカッタレバーの操作不能状態と操作可能状態とを切り換えることが可能なテープ印字装置を提供することを目的とする。
【課題を解決するための手段】
【０００９】
前記目的を達成するため請求項１に係るテープ印字装置は、テープ印字装置本体と、前記テープ印字装置本体に設けられ、テープカセットが装着されるカセット装着部と、前記テープカセットから引き出されたテープに文字等の印字を行う印字ヘッドと、前記印字ヘッドを介して文字等の印字が行われたテープをテープ印字装置本体の外部に排出する排出部と、前記排出部の近傍でテープ印字装置本体内に配設され、固定刃と可動刃とからハサミ状に構成されたカッタと、前記テープ印字装置本体に回動可能に設けられ、前記カッタの可動刃を駆動するカッタレバーと、前記カッタレバーと可動刃との間に配設され、カッタレバーの回動を前記可動刃に伝達する駆動機構と、前記テープ印字装置本体に対して開閉可能に設けられたカバー部材とを備えたテープ印字装置において、前記カバー部材の裏面に形成された被係合部と、前記テープ印字装置本体にて、前記テープカセットの壁面と平行に且つ回転可能に設けられ、前記カッタレバーの段差部に係止される係止部、前記カバー部材の被係合部と係合する係合部及びバネ支持部が形成された板状のストッパ部材と、前記バネ支持部に支持され、前記ストッパ部材を回転付勢するバネ部材とを備え、前記カバー部材がテープ印字装置本体に閉じられていない状態で、前記バネ部材はストッパ部材を回転付勢し、ストッパ部材の係止部がカッタレバーの段差部に係止されてカッタレバーを操作不能にし、前記カバー部材がテープ印字装置本体に閉じられた状態で、カバー部材の被係合部とストッパ部材の係合部とが係合してストッパ部材を前記バネ部材の回転付勢力に抗して回転し、ストッパ部材の係止部はカッタレバーの段差部からリリースしてカッタレバーを操作可能にしたことを特徴とする。
【発明の効果】
【００１０】
請求項１に係るテープ印字装置では、カバー部材がテープ印字装置本体に閉じられていない状態で、バネ部材はストッパ部材を回転付勢し、ストッパ部材の係止部がカッタレバーの段差部に係止されてカッタレバーを操作不能にし、カバー部材がテープ印字装置本体に閉じられた状態で、カバー部材の係合リブがストッパ部材の係合部に係合してストッパ部材をバネ部材の回転付勢力に抗して回転し、ストッパ部材の係止部はカッタレバーの段差部からリリースしてカッタレバーを操作可能にしたので、テープ印字装置本体の両側に離間させてカッタレバーとプラテンホルダとを配設した場合においても、簡単な構成によりカッタレバーの操作不能状態と操作可能状態とを切り換えることができる。
【００１１】
また、板状のストッパ部材は、カセット装着部に装着されるテープカセットの壁面と平行に設けられているので、テープ印字装置の横幅を大きくすることなく、カッタレバーに対してストッパ部材を設けることができる。
【発明を実施するための最良の形態】
【００１２】
以下、本発明に係るテープ印字装置について、本発明を具体化した実施形態に基づき図面を参照しつつ詳細に説明する。
先ず、本実施形態に係るテープ印字装置の概略構成について図１乃至図６に基づき説明する。図１はテープ印字装置の平面図、図２は裏カバーを取り外して示す裏面図、図３はテープ印字装置の裏面斜視図、図４は裏カバーを取り外しつつある状態を示すテープ印字装置の裏面斜視図、図５は裏カバーを取り外して示すテープ印字装置の裏面斜視図、図６は裏カバーの裏面斜視図である。
【００１３】
テープ印字装置１は、図１に示すように、装置本体２を有しており、かかる装置本体２の中央部には、文字・記号等の入力を行うための各種のキー及びファンクションキーが配列されたキーボード３が配設されている。キーボード３の上部には液晶ディスプレイ４が配置されており、また、液晶ディスプレイ４の左側位置には、カッタレバー５が回動可能に支持されている。
【００１４】
装置本体２の裏面側においては、図２に示すように、カセット装着部６が設けられている。かかるカセット装着部６には、図５に示すように、テープカセット７が装着される。尚、テープカセット７の内部には、フィルムテープを巻回したテープスプール、インクリボンを巻回したリボンスプール、印字に使用されたインクリボンを巻き取るリボン巻取スプール、及び、剥離紙付両面粘着テープを巻回した粘着テープスプール等が配置されている。かかるテープカセット７の構成については公知であるので、ここではその説明を省略する。
【００１５】
カセット装着部６には、サーマルヘッド８が立設されており、このサーマルヘッド８はテープカセット７のヘッド挿通部９（図５参照）に挿通される。また、サーマルヘッド８の左側にて、カバー１０の下方には、プラテンローラ（図示せず）を回転可能に支持するプラテンホルダ（図示せず）が回動可能に支持されている。そして、フィルムテープに対して文字等の印字を行う際には、裏カバー１１（図３、図４、図６参照）を装置本体２の裏面に取り付けることにより、裏カバー１１のカバー面に当接して回動されるホルダレバー１２（図５参照）を介して、プラテンホルダがサーマルヘッド８に向かって回動される。これにより、プラテンローラは、間にフィルムテープ及びインクリボンを介在させた状態で、サーマルヘッド８に当接される。この状態で、サーマルヘッド８の発熱素子群を発熱駆動することにより、フィルムテープに文字等の印字が行われる。また、裏カバー１１が装置本体の裏面から取り外されると、裏カバー１１のカバー面とホルダレバー１２との当接は解除され、これによりプラテンホルダはサーマルヘッド８から離間する方向に回動され、プラテンローラはサーマルヘッド８から離間される。
尚、前記した構成は既に公知であり、ここではその説明を省略する。
【００１６】
前記のようにサーマルヘッド８を介して文字等の印字が行われたフィルムテープは、装置本体２の端面（図２では上端面）に形成されたテープ排出溝１３（図６参照）から装置本体２の外部に排出される。
【００１７】
裏カバー１１は装置本体２の裏面側を覆ってテープカセット７や印字機構を保護する部材であり、図６に示すように、裏カバー１１の裏面側壁には係合リブ１４が形成されている。かかる係合リブ１４は、後述するように、裏カバー１１を装置本体２の裏面に取り付けた際にストッパ部材１５（後述する）に係合し、ストッパ部材１５とカッタレバー５の係止状態を解除してカッタレバー５を操作可能にする作用を行う。これについては後述する。また、裏カバー１１の後端部に形成された壁部１６には、テープ排出溝１３が設けられている。
【００１８】
続いて、装置本体２において、上カバー部材の下方にて配設されている内部構成について、図７及び図８に基づき説明する。図７は装置本体から上カバーを取り外し且つ裏カバーを取り外して示す装置本体の斜視図、図８は装置本体から上カバーを取り外し且つ裏カバーを取り付けて示す装置本体の斜視図である。
図７において、カッタレバー５の一端部には、回動支持部１７が形成されており、この回動支持部１７は、装置本体側に形成された支持ボス２５（図１１参照）に挿嵌される。これにより、カッタレバー５は装置本体２上で回動可能に支持される。また、カッタレバー５には、回動支持部１７の反対側で段差部１９が形成されており、この段差部１９には、裏カバー１１が装置本体２から取り外されている状態でストッパ部材１５の係止部１５Ａが係止される。このようにストップ部材１５の係止部１５Ａが段差部１９に係止された状態では、カッタレバー５を反時計方向に回動させることはできず、操作不能となる。
【００１９】
また、図８に示すように、裏カバー１１を装置本体に取り付けた状態では、後述するように、裏カバー１１の係合リブ１４がストッパ部材１５の係合部１５Ｂ（図１４参照）に係合され、これにより、ストッパ部材１５は、その回転支持部１５Ｃ（図１３参照）に挿通された支持軸２０の回りに時計方向に回転される。かかる回転に基づき、ストッパ部材１５の係止部１５Ａはカッタレバー５の段差部１９からリリースし、この結果、カッタレバー５は回動支持部１７の回りに反時計方向に操作可能となる。
【００２０】
続いて、ストッパ部材１５の構成について、図９及び図１０に基づき説明する。図９及び図１０は装置本体から上カバー及び裏カバーを取り外し、ストッパ部材周辺の側壁の一部を破断して示す装置本体の斜視図である。尚、図１０では裏カバー１１は取り外されて図示されているが、裏カバー１１が取り付けられているものとして説明する。
【００２１】
ストッパ部材１５は、金属からなり側面視でＬ字状に形成されており、また、その回転支持部１５Ｃに形成された支持孔１５Ｄ（図１４参照）を有している。また、装置本体２の下面側に設けられたカセット装着部６の壁を構成するとともに、カセット装着部６に装着されたテープカセット７の壁面と平行な関係を有する壁部２１には、不図示の支持孔が形成されている。ストッパ部材１５に形成された支持孔１５Ｄと壁部２１に形成された支持孔に支持軸２０が挿通されている。これにより、ストッパ部材１５は、支持軸２０の回りに回転可能に支持される。
【００２２】
また、ストッパ部材１５にはバネ支持部１５Ｅが形成されており、このバネ支持部１５Ｅには、ストッパ部材１５を反時計方向に回転付勢するコイル状のバネ部材２２が挿嵌されている。バネ支持部１５Ｅの端部は、壁部２１に形成された二股状に形成されＵ字溝を有する係止部２３に係止されている。これにより、ストッパ部材１５は、バネ部材２２の付勢力を介して常時反時計方向に付勢されている。
【００２３】
裏カバー１１が装置本体２の裏面側に取り付けられている場合には、裏カバー１１の係合リブ１４がストッパ部材１５の係合部１５Ｂに当接係合されており、この状態では、ストッパ部材１５は、バネ部材２２の付勢力に抗して時計方向に回転された状態にある。この状態が図１０に示されている。このようにストッパ部材１５が時計方向に回転された状態では、ストッパ部材１５の係止部１５Ａはカッタレバー５の段差部１９からリリースされ、これによりカッタレバー５は回動可能となって操作可能となる。
【００２４】
また、裏カバー１１が装置本体２の裏面側から取り外されると、ストッパ部材１５は、バネ部材２２の付勢力により反時計方向に回転される。この状態が図１０に示されている。このようにストッパ部材１５が反時計方向に回転された状態では、ストッパ部材１５の係止部１５Ａはカッタレバー５の段差部１９に係止されており、これによりカッタレバー５は回動できず操作不能となる。
【００２５】
続いて、カッタレバー５を介してカッタを駆動する構成について図１１及び図１２に基づいて説明する。図１１はカッタの駆動前におけるカッタレバーとカッタとの関係を示す説明図、図１２はカッタを駆動した際のカッタレバーとカッタとの関係を示す説明図である。
【００２６】
図１１において、カッタレバー５における回動支持部１７は、メインフレーム２４上で支持されており、また、メインフレーム２４からは支持ピン２５が突設されている。かかる支持ピン２５は、回動支持部１７に穿設されたピン係合孔に挿通されている。また、メインフレーム２４上には、ラックギア部材２７がスライド可能に配設されており、かかるラックギア部材２７にはラック歯２８が形成されている。更に、メインフレーム２４には、固定刃２９及び可動刃３０から構成されたハサミ状のカッタ３１が取り付けられている。固定刃２９は、固定ピン３２によりメインフレーム２４に対して固定されており、また、可動刃３０は、固定ピン３２の回りに回動可能に取り付けられている。
【００２７】
可動刃３０は「く」字状に形成されており、固定ピン３２を基準にして固定刃２９との協働で切断部を構成する刃部分の反対側には、長溝３３が形成された作動部３４が設けられている。また、メインフレーム２４には軸３５Ａが形成され、メインフレーム２４にはピニオンギア部材３５が軸３５Ａを介して回動可能に支持されており、かかるピニオンギア部材３５からはピン支持部３６が延設されている。ピニオンギア部材３５は、ラックギア部材２７のラック歯２８に噛合するピニオン歯３７が形成されており、また、ピン支持部３６には、前記可動刃３０の作動部３４における長溝３３に挿通されるピン３８が設けられている。
【００２８】
前記構成において、カッタ３１の可動刃３０を駆動してテープ切断を行うには、図１１に示す状態からカッタレバー５を反時計方向に回動させる。カッタレバー５の反時計方向への回動に伴い、作動部２６は図１１中右側に移動してラックギア部材２７の端面に当接する。そして、更にカッタレバー５を回動させていくと、図１２に示すように、ラックギア部材２７が右方向に移動されることに基づき、そのラック歯２８も右側に移動される。これにより、ラック歯２８とピニオンギア部材３５のピニオン歯３７とが噛合していることに基づき、ピニオンギア部材３５が軸３５Ａの回りに反時計方向に回転される。このようにピニオンギア部材３５が反時計方向に回転されると、ピン支持部３６も反時計方向に回転され、これによりピン３８が長溝３３内を先端方向に移動しつつ可動刃３１を反時計方向に回動させる。この結果、固定刃２９と可動刃３０とがハサミのように作動し、テープは固定刃２９と可動刃３０との協働により切断されるものである。
【００２９】
続いて、図１３乃至図１５に基づき、装置本体２に対する裏カバー１１着脱操作とカッタレバー５の操作性との関係について説明する。図１３は裏カバーを装置本体から取り外してカッタレバーが操作不能となっている状態を示す説明図、図１４は裏カバーを装置本体に取り付けてカッタレバーが操作可能となっている状態を示す説明図、図１５は図１４に示す状態からカッタレバーを回動操作してカッタを駆動する状態を示す説明図である。
【００３０】
図１３において、裏カバー１１は装置本体２から取り外されており、この状態では、ストッパ部材１５の係止部１５Ａはカッタレバー５の段差部１９に係止されている。従って、カッタレバー５は操作不能になっている。また、カッタレバー５の作動部２６はラックギア部材２７から離間しており、この状態では、固定刃２９と可動刃３０とは、開いた状態にある。
【００３１】
そして、裏カバー１１が装置本体２に取り付けられると、そのリブ１１がストッパ部材１５の係合部１５Ｂに係合し、これによりストッパ部材１５は、図１４に示すように、支持軸２０の回りに時計方向に回転する。この結果、ストッパ部材１５の係止部１５Ａはカッタレバー５の段差部１９から離間され、カッタレバー５は操作可能な状態となる。
尚、この時点では、カッタレバー５の作動部２６はラックギア部材２７からまだ離間した状態にあり、固定刃２９と可動刃３０とは、開いた状態のままである。
【００３２】
図１４に示す状態でカッタレバー５を回動操作すると、カッタレバー５の作動部２６はラックギア部材２７に当接していく。これによりラックギア部材２７は、図１５中右方向に移動され、前記したように、そのラック歯２８も右側に移動されていく。これにより、ラック歯２８とピニオンギア部材３５のピニオン歯３７とが噛合していることに基づき、ピニオンギア部材３５が軸３５Ａ（図１１参照）の回りに反時計方向に回転される。このようにピニオンギア部材３５が反時計方向に回転されると、ピン支持部３６も反時計方向に回転され、これによりピン３８が長溝３３内を先端方向に移動しつつ可動刃３１を反時計方向に回動させる（図１１参照）。この結果、固定刃２９と可動刃３０とがハサミのように作動し、テープは固定刃２９と可動刃３０との協働により切断されるものである。
【００３３】
以上詳細に説明した通り本実施形態に係るテープ印字装置１では、裏カバー１１が装置本体２に装着されていない状態で、バネ部材２２はストッパ部材１５を回転付勢し、ストップ部材１５の係止部１５Ａがカッタレバー５の段差部１９に係止されてカッタレバー５を操作不能にし、裏カバー１１が装置本体２に装着された状態で、裏カバー１１の係合リブ１４がストッパ部材１５の係合部１５Ｂに係合してストッパ部材５をバネ部材２２の回転付勢力に抗して回転し、ストッパ部材１５の係止部１５Ａはカッタレバー５の段差部１９からリリースしてカッタレバー５を操作可能に構成したので、装置本体２の両側に離間させてカッタレバー５とプラテンホルダとを配設した場合においても、簡単な構成によりカッタレバー５の操作不能状態と操作可能状態とを切り換えることができる。
【００３４】
また、板状のストッパ部材１５は、カセット装着部６に装着されるテープカセット４の壁面と平行に設けられているので、テープ印字装置１の横幅を大きくすることなく、カッタレバー５に対してストッパ部材１５を設けることができる。
【００３５】
更に、ストップ部材１５にバネ部材２２を装着するについて、ストッパ部材１５をＬ字状に構成してバネ支持部１５Ｅを形成し、かかるバネ支持部１５Ｅに対してバネ部材２２を装着するように構成したので、バネ部材２２を保持するについて専用の部材を必要とすることはなく、これよりコスト低減を図ることができる。
【００３６】
尚、本発明は、前記実施形態に限定されることはなく、本発明の要旨を逸脱しない範囲内で種々の改良、変形が可能であることは勿論である。
本実施形態においては、裏カバー１１は装置本体２に対し着脱可能に構成されているが、裏カバー１１はヒンジ部を持ち装置本体に対し開閉可能に構成してもよい。また、本実施形態においては、裏カバー１１の裏面側壁には係合リブ１４が裏カバー１１と一体に形成されているが、係合リブに換えてボスやピンでもよいし、裏カバー１１とは別体に形成されていてもよい。本実施形態においては、ストッパ部材１５は金属で形成されているが、セラミックスでもよい。
【図面の簡単な説明】
【００３７】
【図１】テープ印字装置の平面図である。
【図２】裏カバーを取り外して示す裏面図である。
【図３】テープ印字装置の裏面斜視図である。
【図４】裏カバーを取り外しつつある状態を示すテープ印字装置の裏面斜視図である。
【図５】裏カバーを取り外して示すテープ印字装置の裏面斜視図である。
【図６】裏カバーの裏面斜視図である。
【図７】装置本体から上カバーを取り外し且つ裏カバーを取り外して示す装置本体の斜視図である。
【図８】装置本体から上カバーを取り外し且つ裏カバーを取り付けて示す装置本体の斜視図である。
【図９】装置本体から上カバー及び裏カバーを取り外し、ストッパ部材周辺の側壁の一部を破断して示す装置本体の斜視図である。
【図１０】装置本体から上カバー及び裏カバーを取り外し、ストッパ部材周辺の側壁の一部を破断して示す装置本体の斜視図である。
【図１１】カッタの駆動前におけるカッタレバーとカッタとの関係を示す説明図である。
【図１２】カッタを駆動した際のカッタレバーとカッタとの関係を示す説明図である。
【図１３】裏カバーを装置本体から取り外してカッタレバーが操作不能となっている状態を示す説明図である。
【図１４】裏カバーを装置本体に取り付けてカッタレバーが操作可能となっている状態を示す説明図である。
【図１５】図１４に示す状態からカッタレバーを回動操作してカッタを駆動する状態を示す説明図である。
【符号の説明】
【００３８】
１      テープ印字装置
２      装置本体
５      カッタレバー
６      カセット装着部
７      テープカセット
８      サーマルヘッド
１１    裏カバー
１３    テープ排出溝
１４    係合リブ
１５    ストッパ部材
１５Ａ  係止部
１５Ｂ  係合部
１５Ｅ  バネ支持部
１９    段差部
２０    支持軸
２２    バネ部材
２７    ラックギア部材
２８    ラック歯
２９    固定刃
３０    可動刃
３１    カッタ
３３    長溝
３４    作動部
３５    ピニオンギア部材
３６    ピン支持部
３７    ピニオン歯
３８    ピン
【図１】
2009202546.tif 000003
【図２】
2009202546.tif 000004
【図３】
2009202546.tif 000005
【図４】
2009202546.tif 000006
【図５】
2009202546.tif 000007
【図６】
2009202546.tif 000008
【図７】
2009202546.tif 000009
【図８】
2009202546.tif 000010
【図９】
2009202546.tif 000011
【図１０】
2009202546.tif 000012
【図１１】
2009202546.tif 000013
【図１２】
2009202546.tif 000014
【図１３】
2009202546.tif 000015
【図１４】
2009202546.tif 000016
【図１５】
2009202546.tif 000017